(57)【要約】【課題】  レンタカーまたはシェアリングカーに用いられる自動車のレンタル利用シーンにおいて、ユーザが既に保有しているＩＣカードを追加登録するのに円滑に行える技術を提供する。【解決手段】  自動車のレンタルユーザに係るＩＣカード(19)を新たに登録するためのＩＣカード追加登録装置に係る。  登録可能なＩＣカード(19)に関する登録可能カードデータを予め蓄積している登録可能カードデータベース(31)と、  ＩＣカード(19)に記録されたカードデータを読み取るＩＣカードデータ読み取り手段(カードタッチ部11)と、  そのカードデータが登録可能か否かを前記の登録可能カードデータベース(31)を用いて判断する登録判断手段(32)と、  その登録判断手段(32)による登録の可否を当該ユーザへ出力する登録可否出力手段(パネル21)と、を備える。【選択図】  図１
2015026157.tif 000002
【特許請求の範囲】
【請求項１】
自動車のレンタルユーザに係るＩＣカードを新たに登録するためのＩＣカード追加登録装置であって、
登録可能なＩＣカードに関する登録可能カードデータを予め蓄積している登録可能カードデータベースと、
ＩＣカードに記録されたカードデータを読み取るＩＣカードデータ読み取り手段と、
そのカードデータが登録可能か否かを前記の登録可能カードデータベースを用いて判断する登録判断手段と、
その登録判断手段による登録の可否を当該ユーザへ出力する登録可否出力手段と、
を備えたＩＣカード追加登録装置。
【請求項２】
ＩＣカードのユーザに対して登録を促すための勧誘データを出力する登録勧誘データ出力手段を備えることとした請求項１に記載のＩＣカード追加登録装置。
【請求項３】
前記の登録勧誘データ出力手段には、ユーザによる入力を待機する入力待機出力手段を備えるとともに、  その入力待機出力手段は、ユーザによる入力なしに所定時間を経過した場合には入力待機を解除することとした請求項２に記載のＩＣカード追加登録装置。
【請求項４】
前記の登録勧誘データ出力手段には、ユーザによる入力を待機する入力待機出力手段を備えるとともに、
その入力待機出力手段は、ＩＣカード追加登録装置が備えられた自動車が運転を開始した場合には入力待機を解除することとした請求項２または請求項３のいずれかに記載のＩＣカード追加登録装置。
【請求項５】
前記の登録判断手段によって登録が可能である旨の判断である場合には、前記の登録可能カードデータベースへ前記ＩＣカードを登録することとした請求項１から請求項４のいずれかに記載のＩＣカード追加登録装置。
【請求項６】
ユーザのＩＣカードを新たに登録するためのＩＣカード追加登録を実行するためのカーナビゲーションへインストールされるコンピュータプログラムであって、
そのプログラムは、  ＩＣカードに記録されたカードデータを読み取るＩＣカードデータ読み取り手段からカードデータを受信するカードデータ受信手順と、
予め登録可能なＩＣカードに関する登録可能カードデータを予め蓄積している登録可能カードデータベースへアクセスして前記のカードデータが登録可能か否かを判断したサーバからその登録判断結果を受信する登録可否受信手順と、
その登録可否受信手順による登録可否の結果を当該ユーザへ出力する登録可否出力手順と、
を前記カーナビゲーションに実行させることとしたコンピュータプログラム。
【請求項７】
ＩＣカードのユーザに対して登録を促すための勧誘データを出力する登録勧誘データ出力手順を備えることとした請求項６に記載のコンピュータプログラム。
【請求項８】
前記の登録勧誘データ出力手順の前に備えたユーザによる入力を待機する入力待機出力手順と、
その入力待機出力手順においてユーザによる入力なしに所定時間を経過した場合には入力待機を解除する入力待機解除手順とを、更に備えることとした請求項７に記載のコンピュータプログラム。
【請求項９】
前記の登録勧誘データ出力手順の前に備えたユーザによる入力を待機する入力待機出力手順と、
その入力待機出力手順においてＩＣカード追加登録装置が備えられた自動車が運転を開始した場合には入力待機を解除する入力待機解除手順とを、更に備えることとした請求項７または請求項８のいずれかに記載のコンピュータプログラム。
【請求項１０】
ユーザのＩＣカードを新たに登録するためのＩＣカード追加登録を実行するためのサーバに、予め登録可能なＩＣカードに関する登録可能カードデータを予め蓄積している登録可能カードデータベースを備えている場合において、そのサーバへインストールされるコンピュータプログラムであって、
そのコンピュータプログラムは、  ＩＣカードに記録されたカードデータを読み取るＩＣカードデータ読み取り手段からカードデータをカーナビゲーションを介して受信するカードデータ受信手順と、
前記の登録可能カードデータベースへアクセスして前記のカードデータが登録可能か否かを判断する登録可否判断手順と、
その登録可否受信手順による登録可否の結果を前記カーナビゲーションへ出力する登録可否出力手順と、
を前記サーバに実行させることとしたコンピュータプログラム。
【発明の詳細な説明】
【技術分野】
【０００１】
本発明は、ＩＣカードリーダとカーナビゲーション装置とを用いて、レンタカーやカーシェアリングを利用するユーザに係るＩＣカードの登録を円滑にするための情報通信技術に関する。
【背景技術】
【０００２】
ＩＣカードは、クレジット機能を備えたクレジットカード、交通手段の利用料金の支払いに用いる交通系ＩＣカード、などが代表的である。
ＩＣカードの発行者としては、ＩＣカードのユーザの囲い込みを基本的な意図としている。一方で、ＩＣカードのユーザに対して商品やサービスを提供するビジネス主体者としては、ユーザの身分保障、支払い能力保証などにメリットがある。
【０００３】
顧客囲い込みの手段として、買い物の場合の購入金額や有料サービスを利用した場合の支払金額に応じて、現金と同等の価値がある「ポイント」を付与する「ポイント還元」については、広く普及している。すなわち、ＩＣカードのデータ記録機能を用いて、付与したポイントの記録やそのポイントを使用した場合の残存ポイントなどを記録するのである。
このポイントについては、複数のビジネス主体者が相互互換を提携する契約が進行している。しかし、ビジネス主体者の意図やユーザによる自由な選択によって、ユーザが保有するＩＣカードの種類は増加する傾向にある。
【０００４】
さて、自動車のレンタル業やカーシェアリングサービスの提供サービス業のビジネス主体としては、自動車という高額な資材をユーザへ一時的に提供することとなる。したがって、ユーザの身分保障、支払い能力保証が重要となる。そのため、ユーザに対してクレジットＩＣカードでの支払いや、ＩＣカードの登録および発行を前提としてのサービス提供を行う場合がほとんどである。
【０００５】
特許文献１は、会員登録をしていない利用者が一時的にカーシェアリングを利用できるようにする技術が開示されている。
【０００６】
特許文献２は、シェアカーの車載機は読み取った会員データをホストコンピュータへ送信するのであるが、そのデータ送信のセキュリティを向上させる技術が開示されている。
【先行技術文献】
【特許文献】
【０００７】
【特許文献１】特開２０１２−２１５９２２号公報
【特許文献２】特開２０１２−１１８８４８号公報
【発明の概要】
【発明が解決しようとする課題】
【０００８】
前述したように、自動車のレンタル業やカーシェアリングサービスの提供サービス業では、ＩＣカードを独自に発行する場合が多い。
一方、ユーザとしては、既にＩＣカードを保有している場合が多く、加えて、そのＩＣカードに「ポイント」を蓄積している場合も多い。
【０００９】
ユーザとしては、自動車のレンタル業やカーシェアリングサービスの提供サービス業から新たに発行されるＩＣカードへポイントを蓄積したり、そのポイントを使うよりも、既にポイントを蓄積したり使ったりしている別のカードにて、自動車のレンタルやカーシェアリングによるポイント還元を受けたい場合が少なくない。
【００１０】
自動車のレンタル業やカーシェアリングサービスの提供サービス業のビジネス主体としては、ユーザのニーズに応じる為には、ポイント還元を欲するＩＣカードを新たに、自社のデータベースへ追加登録してもらう必要がある。
しかし、その登録手続きは、ビジネス主体が当該ユーザへサービスを提供しているタイミングで行ってもらうようにはなっていない。特許文献１および２に開示された技術を用いても、登録手続きが円滑になるわけではない。
【００１１】
本発明が解決すべき課題は、レンタカーまたはシェアリングカーに用いられる自動車のレンタル利用シーンにおいて、ユーザが既に保有しているＩＣカードを追加登録するのに円滑に行える技術を提供することにある。
【課題を解決するための手段】
【００１２】
（第一の発明）
第一の発明は、自動車のレンタルユーザに係るＩＣカード(19)を新たに登録するためのＩＣカード追加登録装置に係る。
すなわち、登録可能なＩＣカード(19)に関する登録可能カードデータを予め蓄積している登録可能カードデータベース(31)と、  ＩＣカード(19)に記録されたカードデータを読み取るＩＣカードデータ読み取り手段(カードタッチ部11)と、  そのカードデータが登録可能か否かを前記の登録可能カードデータベース(31)を用いて判断する登録判断手段(32)と、  その登録判断手段(32)による登録の可否を当該ユーザへ出力する登録可否出力手段(出力パネル21)と、を備える。
【００１３】
「ＩＣカードデータ読み取り手段(11)」とは、ＩＣカード(19)との近距離通信によってＩＣカード(19)に予め蓄積されているデータを読み取る装置である。具体的には、たとえば非接触型のカードリーダ(30)である。
本願に係る「ＩＣカード追加登録装置」は、たとえば、前記の非接触型のカードリーダ(10)と、そのカードリーダ(10)が読み取ったカードデータを受信したり登録の可否を出力したりする多機能カーナビゲーション(20)と、その多機能カーナビゲーション(20)と通信したり登録の可否を判断したりするサーバ(30)とから構成される。
【００１４】
（作用）
登録可能カードデータベース(31)には、登録可能なＩＣカードに関する登録可能カードデータを予め蓄積している。
ユーザに係るＩＣカード(19)に記録されたカードデータをＩＣカードデータ読み取り手段(11)が読み取る。  読み取られたカードデータが登録可能か否かを、登録判断手段(32)が前記の登録可能カードデータベース(31)を用いて判断する。
その登録判断手段(32)による登録の可否を登録可否出力手段(21)が当該ユーザへ出力する。
【００１５】
（第一の発明のバリエーション１）
第一の発明は、以下のように構成することもできる。
すなわち、  ＩＣカード(19)のユーザに対して登録を促すための勧誘データを出力する登録勧誘データ出力手段を備えることとしてもよい。
【００１６】
「登録勧誘データ出力手段」とは、たとえば、多機能カーナビゲーションの出力画面に「ＩＣカードの追加登録」のボタンを用意しておく。そのボタンをユーザがタッチすれば、ＩＣカードの追加登録の手順を出力表示したり、手順ガイダンスを音声出力したりする。
【００１７】
（作用）
ＩＣカードのユーザに対して、登録勧誘データ出力手段が登録を促すための勧誘データを出力する。
その勧誘データに応じるユーザは、ＩＣカードデータ読み取り手段(11)へ自らに係るＩＣカード(19)を提示する。
【００１８】
（第一の発明のバリエーション２）
第一の発明における前記バリエーション１は、以下のように構成することもできる。
すなわち、前記の登録勧誘データ出力手段には、ユーザによる入力を待機する入力待機出力手段を備えるとともに、  その入力待機出力手段は、ユーザによる入力なしに所定時間を経過した場合には入力待機を解除することとしてもよい。
【００１９】
（作用）
登録勧誘データ出力手段における入力待機出力手段は、ユーザによる入力を待機する。ユーザによる入力が行われずに所定時間を経過した場合には、入力待機を解除する。ユーザが迷っていて決断できない場合などにおいて、待機状態を解除することで、別の案内（たとえばナビゲーションや他の情報提供）が可能となる。
【００２０】
（第一の発明のバリエーション３）
第一の発明における前記バリエーション１およびバリエーション２は、以下のように構成することもできる。
すなわち、前記の登録勧誘データ出力手段には、ユーザによる入力を待機する入力待機出力手段を備えるとともに、  その入力待機出力手段は、ＩＣカード追加登録装置が備えられた自動車が運転を開始した場合には入力待機を解除することとしてもよい。
【００２１】
（作用）
ユーザがその自動車の運転者である可能性が高く、自動車が走行を開始した場合に、ＩＣカード追加登録の手続き入力などが行えるとすれば、運転の集中力をそいでしまい危険である。そのため、自動車が運転を開始した場合には入力待機を解除する。
【００２２】
（第一の発明のバリエーション４）
第一の発明は、以下のように構成することもできる。
すなわち、  前記の登録判断手段(32)によって登録が可能である旨の判断である場合には、前記の登録可能カードデータベース(31)へ前記ＩＣカードを登録することとする。
【００２３】
新たなＩＣカードが登録可能である旨を判断された場合、そのＩＣカードは、登録された場合には、登録可能カードデータベース(31)へ登録する。
【００２４】
（第二の発明）
第二の発明は、  ユーザのＩＣカードを新たに登録するためのＩＣカード追加登録を実行するためのカーナビゲーションへインストールされるコンピュータプログラムに係る。
そのプログラムは、
ＩＣカード(19)に記録されたカードデータを読み取るＩＣカードデータ読み取り手段(カードタッチ部11)からカードデータを受信するカードデータ受信手順と、
予め登録可能なＩＣカード(19)に関する登録可能カードデータを予め蓄積している登録可能カードデータベース(31)へアクセスして前記のカードデータが登録可能か否かを判断したサーバ(30)からその登録判断結果を受信する登録可否受信手順と、
その登録可否受信手順による登録可否の結果を当該ユーザへ出力する登録可否出力手順と、
を前記カーナビゲーションに実行させることとしたコンピュータプログラムである。
【００２５】
（第二の発明のバリエーション１）
第二の発明は、ＩＣカード(19)のユーザに対して登録を促すための勧誘データを出力する登録勧誘データ出力手順を備えることとしてもよい。
【００２６】
（第二の発明のバリエーション２）
第二の発明における前記バリエーション１は、以下のように構成することもできる。
すなわち、前記の登録勧誘データ出力手順の前に備えたユーザによる入力を待機する入力待機出力手順と、
その入力待機出力手順においてユーザによる入力なしに所定時間を経過した場合には入力待機を解除する入力待機解除手順とを、更に備えることとしてもよい。
【００２７】
（第二の発明のバリエーション３）
第二の発明における前記バリエーション１またはバリエーション2は、以下のように構成することもできる。
すなわち、前記の登録勧誘データ出力手順の前に備えたユーザによる入力を待機する入力待機出力手順と、
その入力待機出力手順においてＩＣカード追加登録装置が備えられた自動車が走行を開始した場合には入力待機を解除する入力待機解除手順とを、更に備えることとしてもよい。
【００２８】
（第三の発明）
第三の発明は、ユーザのＩＣカードを新たに登録するためのＩＣカード追加登録を実行するためのサーバ(30)に、予め登録可能なＩＣカード(19)に関する登録可能カードデータを予め蓄積している登録可能カードデータベース(31)を備えている場合において、そのサーバ(30)へインストールされるコンピュータプログラムに係る。
そのコンピュータプログラムは、  ＩＣカード(19)に記録されたカードデータを読み取るＩＣカードデータ読み取り手段(カードタッチ部11)からカードデータをカーナビゲーション(20)を介して受信するカードデータ受信手順と、
前記の登録可能カードデータベース(31)へアクセスして前記のカードデータが登録可能か否かを判断する登録可否判断手順と、
その登録可否受信手順による登録可否の結果を前記カーナビゲーション(20)へ出力する登録可否出力手順と、
を前記サーバに実行させることとしたコンピュータプログラムである。
【００２９】
（コンピュータプログラムの発明）
第二の発明および第三の発明に係るコンピュータプログラムは、記録媒体に格納して配布すること、および通信設備を介して送信することによって配布することが可能である。
【発明の効果】
【００３０】
第一の発明によれば、レンタカーまたはシェアリングカーに用いられる自動車のレンタル利用シーンにおいて、ユーザが既に保有しているＩＣカードを追加登録するのに円滑に行えるＩＣカード追加登録装置を提供することができた。
第二の発明および第三の発明によれば、レンタカーまたはシェアリングカーに用いられる自動車のレンタル利用シーンにおいて、ユーザが既に保有しているＩＣカードを追加登録するのに円滑に行うためのコンピュータプログラムを提供することができた。
【図面の簡単な説明】
【００３１】
【図１】本願発明の実施形態に係るハードウェア構成を示すブロック図である。
【図２】本願発明の実施形態としてのカーナビゲーションの画面を示す。
【図３】本願発明の実施形態としてのカーナビゲーションの画面を示す。
【発明を実施するための形態】
【００３２】
本願発明を実施する形態（カーシェアリングシステム）について、図１から図３を用いて説明する。
【００３３】
（図１）
図１は、カーシェアリングに用いられるシェアリングカーまたはレンタカーに予め設置された多機能カーナビゲーション２０およびカードリーダ１０と、その多機能カーナビゲーション２０と通信するサーバ３０とにおけるハードウェア構成を示している。
本実施形態においては、カーシェアリングにおける利用画面を想定している。
【００３４】
カードリーダ１０は、カーシェアリングまたはレンタカーを利用するための会員登録されたＩＣカードを認証するためのカードタッチ部１１を備えている。そのカードタッチ部１１は、シェアリングカーまたはレンタカーの運転席や後部座席付近に設置されている。カードタッチ部１１に対して、ユーザは予め会員登録されたＩＣカードをかざし、カーシェアリングまたはレンタカーを利用する。
【００３５】
多機能カーナビゲーション２０は、一般のカーナビゲーションの機能に加え、カーシェアリングやレンタカーを利用するユーザへ利用ガイド情報を提供したり、管理のためのデータを送受信したりする機能を備えている。
また、前述したカードリーダ１０と有線接続されており、カードタッチ部１１から吸い上げたユーザに係るＩＣカードのデータをサーバ３０へ送信する。
【００３６】
サーバ３０は、多機能カーナビゲーション２０との双方向通信を、無線にて実行する。
予め登録したユーザに係るデータと、カードリーダ１０および多機能カーナビゲーション２０を介して受信したデータとを照合することで、ＩＣカードをかざしたユーザがカーシェアリングまたはレンタカーを利用できるか否かを判別する。
【００３７】
サーバ３０は、カーシェアリングまたはレンタカーを利用したユーザに対して、次の機会にまた利用してもらったり、スポンサーが提供するサービスを利用してもらったりするため、「ポイント」を還元する。
このポイントは、ユーザがカーシェアリングまたはレンタカーを利用を開始する際に用いたＩＣカードへ還元する。しかし、ユーザとしては、還元してもらいたいＩＣカードの種類が多い方が、利便性が高い。
そこで、ユーザが望む新たなＩＣカードへのポイント還元を可能とするため、その新たなＩＣカードを利用できるように登録することを可能としているのが、図１に示すＩＣカード追加登録装置である。
【００３８】
（図２）
多機能カーナビゲーション２０の出力パネル２１における「シェアカー利用メニュー」の画面には、「追加ＩＣカード登録」というメニューが用意されている。このメニューは、シェアカーが運転されていない状態でないと操作できない。
ユーザが新たなＩＣカード（図１に示すように交通形ＩＣカード）１９を登録したい場合、出力パネル２１にて、「追加ＩＣカード登録」をタッチする。すると、多機能カーナビゲーション２０からサーバ３０へ、「追加ＩＣカード登録」を実行する旨が送信され、サーバ３０はその旨を受信したことを多機能カーナビゲーション２０へ返信する。その様子を示すのが、図２の下半分である。
【００３９】
この状態において、カードリーダ１０のカードタッチ部１１はアクティブ状態となり、ユーザが新たなＩＣカード１９をカードタッチ部１１にかざせば、そのＩＣカード１９内に予め記録されているデータの一部がカードリーダ１０へ読み込まれる。
なお、図２下に示している画面上にて表示しているように、指定時間（たとえば５分間）ＩＣカード１９をカードタッチ部１１へタッチしない場合、またはシェアカーの運転を開始した場合には、アクティブ状態は解除される。
【００４０】
図１に示すように、カードタッチ部においては、予約ＩＤ、ＩＣカード事業者判別用コード、ＩＣカード本体識別コード、車両・ステーション情報などを交通形ＩＣカード１９から吸い上げ、多機能カーナビゲーション２０へ送信する。
送信されたデータは、読取データ受信手段にて受信し、読取データ受信手段からサーバ３０へ送信される。
【００４１】
サーバ３０へ送信されたデータは、読取データ受信手段にて受信する。サーバ３０においては、ユーザがポイントを蓄積することが可能である登録可能カードに関するデータを予め蓄積した登録可能カードデータベース３１が用意されている。
読取データ受信手段にて受信したデータが登録可能であるか否かは、その登録可能カードデータベース３１を参照して登録判断手段３２が判断する。判断結果は、登録可否表示手段２１として出力パネル２１へ出力し、ユーザに知らしめる。
なお、登録判断手段３２における判断結果のうち、必要なデータがある場合については、登録可能カードデータベース３１へフィードバックして蓄積させる（図１中の波線）。
【００４２】
（図３）
図３（Ａ）には、登録判断手段３２が判断した結果、ＩＣカードαの追加登録が可能となった場合の出力パネル２１へのメッセージ例を示している。
図３（Ｂ）には、登録判断手段３２が判断した結果、ＩＣカードαの追加登録ができなかった場合の出力パネル２１へのメッセージ例を示している。
【００４３】
サーバ３０から情報発信をして、新たなＩＣカードの登録をユーザに促す登録勧誘データを出力することとしてもよい。たとえば、前述した多機能カーナビゲーション３０の出力パネル３１へ追加可能なＩＣカードの画像データを表示する。そして、「ＩＣカードの追加登録」のボタンをユーザがタッチすれば、ＩＣカードの追加登録の手順を出力表示したり、手順ガイダンスを音声出力したりするのである。
【産業上の利用可能性】
【００４４】
本願発明は、カーシェアリングのサービスやレンタカーを提供するサービス業、カーシェアリングやレンタカーのサービスを運用するためのソフトウェアを開発するソフトウェア開発業、カーシェアリングやレンタカーのサービスを運用するための通信情報機器の製造業などにおいて、利用可能性を有する。
【符号の説明】
【００４５】
１０  ；カードリーダ                １１  ；カードタッチ部
１９  ；ＩＣカード
２０  ；多機能カーナビゲーション    ２１  ；出力パネル
３０  ；サーバ                      ３１  ；登録可能カードデータベース
３２  ；登録判断手段
【図１】
2015026157.tif 000003
【図２】
2015026157.tif 000004
【図３】
2015026157.tif 000005